(57)【特許請求の範囲】
【請求項１】
外枠と該外枠に組み付けられた複数のブレードとを具備する風向調整用レジスタであって、
第１外枠部品と第２外枠部品とによって前記外枠が構成されており、
第１外枠部品が１つの細長くて厚みの薄い本体プレート部分と２つの厚みの薄い端部プレート部分とを有し、第１外枠部品の一方の端部プレート部分が第１外枠部品の本体プレート部分の長手方向の一端部から同本体プレート部分の延在平面に対して垂直方向に延在していると共に、第１外枠部品の他方の端部プレート部分が第１外枠部品の本体プレート部分の長手方向の他端部から同本体プレート部分の延在平面に対して垂直方向に延在しており、
第２外枠部品が１つの細長くて厚みの薄い本体プレート部分と２つの厚みの薄い端部プレート部分とを有し、第２外枠部品の一方の端部プレート部分が第２外枠部品の本体プレート部分の長手方向の一端部から同本体プレート部分の延在平面に対して垂直方向に延在していると共に、第２外枠部品の他方の端部プレート部分が第２外枠部品の本体プレート部分の長手方向の他端部から同本体プレート部分の延在平面に対して垂直方向に延在しており、
第１外枠部品の一方の端部プレート部分が第２外枠部品の一方の端部プレート部分に接続されていると共に、第１外枠部品の他方の端部プレート部分が第２外枠部品の他方の端部プレート部分に接続されており、
第１外枠部品の一方の端部プレート部分に第１係合壁面が設けられていると共に、第２外枠部品の一方の端部プレート部分に第２係合壁面が設けられており、
第１係合壁面が第１外枠部品の長手方向中央領域を中心とした撓みによる第１外枠部品の一方の端部プレート部分の移動方向に対して横方向であって第１外枠部品の長手方向に対して横方向に延在していると共に、第２係合壁面が第２外枠部品の長手方向中央領域を中心とした撓みによる第２外枠部品の一方の端部プレート部分の移動方向に対して横方向であって第２外枠部品の長手方向に対して横方向に延在しており、
第１係合壁面と第２係合壁面とが互いに係合することによって第１外枠部品の一方の端部プレート部分と第２外枠部品の一方の端部プレート部分とが係止力をもって互いに接続されている風向調整用レジスタにおいて、
第１係合壁面と第２係合壁面とが係合する領域の長さであって第１外枠部品および第２外枠部品の長手方向に沿った長さが第１係合壁面を備えた第１外枠部品の端部プレート部分または第２係合壁面を備えた第２外枠部品の端部プレート部分の厚みよりも長い風向調整用レジスタ。
【請求項２】
前記第１外枠部品の一方の端部プレート部分に設けられた第１係合壁面が第１外枠部品の撓みによる第１外枠部品の一方の端部プレート部分の移動方向に対して横方向であって第１外枠部品の長手方向に対して横方向に第１外枠部品の一方の端部プレート部分から突出する突起によって提供されると共に、前記第２外枠部品の一方の端部プレート部分に設けられた第２係合壁面が第２外枠部品の撓みによる第２外枠部品の端部プレート部分の移動方向に対して横方向であって第２外枠部品の長手方向に対して横方向に第２外枠部品の端部プレート部分から突出する突起によって提供される請求項１に記載の風向調整用レジスタ。
【請求項３】
前記第１外枠部品の一方の端部プレート部分に設けられた第１係合壁面が第１外枠部品の撓みによる第１外枠部品の一方の端部プレート部分の移動方向に対して横方向であって第１外枠部品の長手方向に対して横方向に第１外枠部品の一方の端部プレート部分から突出する突起によって提供されると共に、前記第２外枠部品の一方の端部プレート部分に設けられた第２係合壁面が第２外枠部品の撓みによる第２外枠部品の一方の端部プレート部分の移動方向に対して横方向であって第２外枠部品の長手方向に対して横方向に第２外枠部品の端部プレート部分の材料内部に延びるように形成された開口または溝または凹部によって提供される請求項１に記載の風向調整用レジスタ。
【請求項４】
前記第１係合壁面が第１外枠部品の一方の端部プレート部分に設けられているのに加えて、別の第１係合壁面が第１外枠部品の他方の端部プレート部分に設けられていると共に、前記第２係合壁面が第２外枠部品の一方の端部プレート部分に設けられているのに加えて、別の第２係合壁面が第２外枠部品の他方の端部プレート部分に設けられており、前記別の第１係合壁面が第１外枠部品の長手方向中央領域を中心とした撓みによる第１外枠部品の他方の端部プレート部分の移動方向に対して横方向であって第１外枠部品の長手方向に対して横方向に延在していると共に、前記別の第２係合壁面が第２外枠部品の長手方向中央領域を中心とした撓みによる第２外枠部品の他方の端部プレート部分の移動方向に対して横方向であって第２外枠部品の長手方向に対して横方向に延在しており、前記別の第１係合壁面と前記別の第２係合壁面とが互いに係合することによって第１外枠部品の他方の端部プレート部分と第２外枠部品の他方の端部プレート部分とが係止力をもって互いに接続されており、前記別の第１係合壁面と前記別の第２係合壁面とが係合する領域の長さであって第１外枠部品および第２外枠部品の長手方向に沿った長さが前記別の第１係合壁面を備えた第１外枠部品の端部プレート部分または前記別の第２係合壁面を備えた第２外枠部品の端部プレート部分の厚みよりも長い請求項１〜３のいずれか１つに記載の風向調整用レジスタ。
【請求項５】
前記第１外枠部品の他方の端部プレート部分に設けられた別の第１係合壁面が第１外枠部品の撓みによる第１外枠部品の他方の端部プレート部分の移動方向に対して横方向であって第１外枠部品の長手方向に対して横方向に第１外枠部品の他方の端部プレート部分から突出する突起によって提供されると共に、前記第２外枠部品の他方の端部プレート部分に設けられた第２係合壁面が第２外枠部品の撓みによる第２外枠部品の他方の端部プレート部分の移動方向に対して横方向であって第２外枠部品の長手方向に対して横方向に第２外枠部品の他方の端部プレート部分から突出する突起によって提供される請求項４に記載の風向調整用レジスタ。
【請求項６】
前記第１外枠部品の他方の端部プレート部分に設けられた別の第１係合壁面が第１外枠部品の撓みによる第１外枠部品の他方の端部プレート部分の移動方向に対して横方向であって第１外枠部品の長手方向に対して横方向に第１外枠部品の他方の端部プレート部分から突出する突起によって提供されると共に、前記第２外枠部品の他方の端部プレート部分に設けられた別の第２係合壁面が第２外枠部品の撓みによる第２外枠部品の他方の端部プレート部分の移動方向に対して横方向であって第２外枠部品の長手方向に対して横方向に第２外枠部品の端部プレート部分の材料内部に延びるように形成された開口または溝または凹部によって提供される請求項４に記載の風向調整用レジスタ。
【請求項７】
前記第１外枠部品または前記第２外枠部品が熱可塑性樹脂から製造された部品である請求項１〜６のいずれか１つに記載の風向調整用レジスタ。
【請求項８】
前記第１外枠部品の本体プレート部分の外壁面全体または前記第２外枠部品の本体プレート部分の外壁面全体を覆う被覆プレートをさらに具備する請求項１〜７のいずれか１つに記載の風向調整用レジスタ。
【請求項９】
外枠と該外枠に組み付けられた複数のブレードと被覆プレートと２つの端部部品とを具備する風向調整用レジスタであって、
第１外枠部品と第２外枠部品とによって前記外枠が構成されており、
第１外枠部品が１つの細長くて厚みの薄い本体プレート部分と２つの厚みの薄い端部プレート部分とを有すると共に、第２外枠部品が１つの細長くて厚みの薄い本体プレート部分と２つの厚みの薄い端部プレート部分とを有し、
第１外枠部品の一方の端部プレート部分と第２外枠部品の一方の端部プレート部分とが互いに接続されると共に第１外枠部品の他方の端部プレート部分と第２外枠部品の他方の端部プレート部分とが互いに接続されることによって前記外枠が構成されており、
第１外枠部品の一方の端部プレート部分と第２外枠部品の一方の端部プレート部分とを覆うように前記端部部品の一方が外枠に取り付けられると共に、第１外枠部品の他方の端部プレート部分と第２外枠部品の他方の端部プレート部分とを覆うように前記端部部品の他方が外枠に取り付けられ、
一方の本体プレート部分の外壁面全体または他方の本体プレート部分の外壁面全体を覆うように前記被覆プレートが配置されており、
被覆プレートが１つの細長くて厚みの薄い本体プレート部分と２つの厚みの薄い端部プレート部分とを有し、被覆プレートの一方の端部プレート部分が被覆プレートの本体プレート部分の長手方向の一端部から同本体プレート部分の延在平面に対して垂直方向に延在していると共に、被覆プレートの他方の端部プレート部分が被覆プレートの本体プレート部分の長手方向の他端部から同本体プレート部分の延在平面に対して垂直方向に延在しており、
被覆プレートの一方の端部プレート部分が前記一方の端部部品に接続されていると共に、被覆プレートの他方の端部プレート部分が前記他方の端部部品に接続されており、
前記一方の端部部品に係合壁面が設けられていると共に、被覆プレートの一方の端部プレート部分に係合壁面が設けられており、
前記他方の端部部品に係合壁面が設けられていると共に、被覆プレートの他方の端部プレート部分に係合壁面が設けられており、
被覆プレートが外枠に接続された状態において被覆プレートの長手方向中央領域を中心とした撓みによる被覆プレートの一方の端部プレート部分の移動方向に対して横方向であって被覆プレートの長手方向に対して横方向に前記一方の端部部品の係合壁面および被覆プレートの一方の端部プレート部分の係合壁面が延在しており、これら係合壁面が互いに係合することによって被覆プレートの一方の端部プレート部分が前記一方の端部部品に係止力をもって接続されており、
被覆プレートが外枠に接続された状態において被覆プレートの長手方向中央領域を中心とした撓みによる被覆プレートの他方の端部プレート部分の移動方向に対して横方向であって被覆プレートの長手方向に対して横方向に前記他方の端部部品の係合壁面および被覆プレートの他方の端部プレート部分の係合壁面が延在しており、これら係合壁面が互いに係合することによって被覆プレートの他方の端部プレート部分が前記他方の端部部品に係止力をもって接続されている、
風向調整用レジスタにおいて、
前記一方の端部部品の係合壁面と被覆プレートの一方の端部プレート部分の係合壁面とが係合する領域の長さであって外枠および被覆プレートの長手方向に沿った長さが前記一方の端部部品の厚みまたは被覆プレートの一方の端部プレート部分の厚みよりも長く、
前記他方の端部部品の係合壁面と被覆プレートの他方の端部プレート部分の係合壁面とが係合する領域の長さであって外枠および被覆プレートの長手方向に沿った長さが前記他方の端部部品の厚みまたは被覆プレートの他方の端部プレート部分の厚みよりも長い、
風向調整用レジスタ。
【請求項１０】
前記被覆プレートが外枠に接続された状態において被覆プレートの長手方向中央領域を中心とした撓みによる被覆プレートの一方の端部プレート部分の移動方向に対して横方向であって被覆プレートの長手方向に対して横方向に前記一方の端部部品から突出する突起によって該一方の端部部品の前記係合壁面が提供されると共に、被覆プレートの長手方向中央領域を中心とした撓みによる被覆プレートの一方の端部プレート部分の移動方向に対して横方向であって被覆プレートの長手方向に対して横方向に被覆プレートの一方の端部プレート部分から突出する突起によって被覆プレートの一方の端部プレート部分の前記係合壁面が提供される請求項９に記載の風向調整用レジスタ。
【請求項１１】
前記被覆プレートが外枠に接続された状態において被覆プレートの長手方向中央領域を中心とした撓みによる被覆プレートの一方の端部プレート部分の移動方向に対して横方向であって被覆プレートの長手方向に対して横方向に前記一方の端部部品から突出する突起によって該一方の端部部品の前記係合壁面が提供されると共に、被覆プレートの長手方向中央領域を中心とした撓みによる被覆プレートの一方の端部プレート部分の移動方向に対して横方向であって被覆プレートの長手方向に対して横方向に被覆プレートの一方の端部プレート部分の材料内部に延びるように形成された開口または溝または凹部によって被覆プレートの一方の端部プレート部分の前記係合壁面が提供される請求項９に記載の風向調整用レジスタ。
【請求項１２】
前記被覆プレートが外枠に接続された状態において被覆プレートの長手方向中央領域を中心とした撓みによる被覆プレートの一方の端部プレート部分の移動方向に対して横方向であって被覆プレートの長手方向に対して横方向に前記一方の端部部品の材料内部に延びるように形成された開口または溝または凹部によって該一方の端部部品の前記係合壁面が提供されると共に、被覆プレートの長手方向中央領域を中心とした撓みによる被覆プレートの一方の端部プレート部分の移動方向に対して横方向であって被覆プレートの長手方向に対して横方向に被覆プレートの一方の端部プレート部分から突出する突起によって被覆プレートの一方の端部プレート部分の前記係合壁面が提供される請求項９に記載の風向調整用レジスタ。
【請求項１３】
前記被覆プレートが外枠に接続された状態において被覆プレートの長手方向中央領域を中心とした撓みによる被覆プレートの他方の端部プレート部分の移動方向に対して横方向であって被覆プレートの長手方向に対して横方向に前記他方の端部部品から突出する突起によって該他方の端部部品の前記係合壁面が提供されると共に、被覆プレートの長手方向中央領域を中心とした撓みによる被覆プレートの他方の端部プレート部分の移動方向に対して横方向であって被覆プレートの長手方向に対して横方向に被覆プレートの他方の端部プレート部分から突出する突起によって被覆プレートの他方の端部プレート部分の前記係合壁面が提供される請求項１２に記載の風向調整用レジスタ。
【請求項１４】
前記被覆プレートが外枠に接続された状態において被覆プレートの長手方向中央領域を中心とした撓みによる被覆プレートの他方の端部プレート部分の移動方向に対して横方向であって被覆プレートの長手方向に対して横方向に前記他方の端部部品から突出する突起によって該他方の端部部品の前記係合壁面が提供されると共に、被覆プレートの長手方向中央領域を中心とした撓みによる被覆プレートの他方の端部プレート部分の移動方向に対して横方向であって被覆プレートの長手方向に対して横方向に被覆プレートの他方の端部プレート部分の材料内部に延びるように形成された開口または溝または凹部によって被覆プレートの他方の端部プレート部分の前記係合壁面が提供される請求項１２に記載の風向調整用レジスタ。
【請求項１５】
前記被覆プレートが外枠に接続された状態において被覆プレートの長手方向中央領域を中心とした撓みによる被覆プレートの他方の端部プレート部分の移動方向に対して横方向であって被覆プレートの長手方向に対して横方向に前記他方の端部部品の材料内部に延びるように形成された開口または溝または凹部によって該他方の端部部品の前記係合壁面が提供されると共に、被覆プレートの長手方向中央領域を中心とした撓みによる被覆プレートの他方の端部プレート部分の移動方向に対して横方向であって被覆プレートの長手方向に対して横方向に被覆プレートの他方の端部プレート部分から突出する突起によって被覆プレートの他方の端部プレート部分の前記係合壁面が提供される請求項１２に記載の風向調整用レジスタ。
【請求項１６】
前記被覆プレートが熱可塑性樹脂から製造された部品である請求項９〜１５のいずれか１つに記載の風向調整用レジスタ。
【発明の詳細な説明】
【技術分野】
【０００１】
本発明は、風向調整用レジスタに関する。
【背景技術】
【０００２】
特許文献１に風向調整用レジスタが記載されている。このレジスタは、概して、直方体の形状をしており、２つの外枠部品（特許文献１において参照符号１１、１２で示されている）と、複数のブレード（特許文献１において参照符号１３、１４で示されている）と、一本のロッド（特許文献１において参照符号１５で示されている）とからなる。これら外枠部品、ブレード、および、ロッドはそれぞれ独立して製造され、これら外枠部品、ブレード、および、ロッドを互いに組み付けることによってレジスタが製造される。
【０００３】
特許文献１に記載のレジスタの外枠部品は、それぞれ、レジスタの外枠の半体を構成している。外枠部品はこれらが互いに接続されることによってレジスタの外枠を構成している。詳細には、一方の外枠部品の長手方向の両側面に長手方向外方に突出する突起（特許文献１において参照符号１１ｋ、１１ｌで示されている）がそれぞれ設けられていると共に、他方の外側部品の長手方向の両側面に長手方向に貫通する開口（特許文献１において参照符号１２ｋ、１２ｌで示されている）がそれぞれ設けられている。さらに、一方の外枠部品の長手方向の両側面に長手方向に貫通する開口（特許文献１において参照符号１１ｍ、１１ｎで示されている）がそれぞれ設けられていると共に、他方の外枠部品の長手方向の両側面に長手方向外方に突出する突起（特許文献１において参照符号１２ｍ、１２ｎで示されている）がそれぞれ設けられている。そして、これら外枠部品が互いに組み付けられるときに一方の外枠部品の突起が他方の外枠部品の開口に入り込んで互いに係合すると共に一方の外枠部品の開口に他方の外枠部品の突起が入り込んで互いに係合することによってこれら外枠部品が一定の係止力をもって互いに接続される。
【０００４】
なお、特許文献１に記載のレジスタのブレードは互いに接続された外枠部品の間に回動可能に配置されている。また、特許文献１に記載のレジスタのロッドはブレードに連結されており、ロッドを操作することによって外枠部品間におけるブレードの回動位置が調節される。
【０００５】
また、特許文献２にも風向調整用レジスタが記載されている。このレジスタは、概して、直方体の形状をしており、２つの外枠部品（特許文献２において参照符号１１、１２で示されている）と、複数のブレード（特許文献２において参照符号１３、１４で示されている）と、一本のロッド（特許文献２において参照符号１５で示されている）とからなる。これら外枠部品、ブレード、および、ロッドはそれぞれ独立して製造され、これら外枠部品、ブレード、および、ロッドを互いに組み付けることによってレジスタが製造される。
【０００６】
特許文献２に記載のレジスタの外枠部品は、それぞれ、レジスタの外枠の半体を構成している。外枠部品はこれらが互いに接続されることによってレジスタの外枠を構成している。詳細には、一方の外枠部品の長手方向の両側面に長手方向外方に突出する突起（特許文献２において参照符号１１ｃ２、１１ｄ２で示されている）がそれぞれ設けられていると共に、他方の外側部品の長手方向の両側面に長手方向に貫通する開口（特許文献２において参照符号１２ｂ２、１２ｃ２で示されている）がそれぞれ設けられている。そして、これら外枠部品が互いに組み付けられるときに一方の外枠部品の突起が他方の外枠部品の開口に入り込んで互いに係合することによってこれら外枠部品が一定の係止力をもって互いに接続される。
【０００７】
なお、特許文献１に記載のレジスタのブレードは互いに接続された外枠部品の間に回動可能に配置されている。また、特許文献１に記載のレジスタのロッドはブレードに連結されており、ロッドを操作することによって外枠部品間におけるブレードの回動位置が調節される。
【先行技術文献】
【特許文献】
【０００８】
【特許文献１】特開昭６１−１９１４１４号公報
【特許文献２】特開平９−１３３３９７号公報
【発明の概要】
【発明が解決しようとする課題】
【０００９】
ところで、一般的には、熱可塑性の合成樹脂から細長い部品が製造された場合、その部品はその長手方向における中央領域を中心として全体的に撓む傾向にある。この傾向は外枠部品の長手方向の長さが長いほど顕著になる。特許文献１にはレジスタが熱可塑性の合成樹脂からなる旨が記載されているから、特許文献１に記載のレジスタの外枠部品は熱可塑性合成樹脂から製造されていることになる。また、特許文献２には外枠部品が熱可塑性の合成樹脂からなる旨が記載されている。そして、特許文献１に記載の外枠部品も特許文献２に記載の外枠部品も長手方向の長さが比較的長い部品であるので、これら外枠部品はその長手方向における中央領域を中心として全体的に撓む傾向にあることになる。
【００１０】
上述したように、特許文献１に記載の外枠部品も特許文献２に記載の外枠部品もその長手方向の両側面において長手方向外方に突出する突起と長手方向に貫通する開口との係合によって接続されている。一方、外枠部品が互いに接続されているとき、その長手方向における中央領域を中心とした撓みが外枠部品の両端部を互いから離そうとする。このとき、外枠部品の係合部分が円弧を描くように移動しようとするので、特許文献１や特許文献２に記載されている形式でもって外枠部品が互いに接続されている場合、突起が開口から抜け出て外枠部品が外れてしまうことがある。
【００１１】
このことは、外枠部品が熱可塑性の合成樹脂から製造されていなくても、その長手方向における中央領域を中心として全体的に撓む傾向を有する外枠部品を接続することによってレジスタの外枠が形成される場合にも当てはまる。
【００１２】
以上のことに鑑み、本発明の目的は、外枠部品が互いに確実に接続されたレジスタを提供することにある。
【課題を解決するための手段】
【００１３】
本願の発明は、外枠と該外枠に組み付けられた複数のブレードとを具備する風向調整用レジスタに関する。そして、第１外枠部品と第２外枠部品とによって前記外枠が構成されている。そして、第１外枠部品が１つの細長くて厚みの薄い本体プレート部分と２つの厚みの薄い端部プレート部分とを有する。そして、第１外枠部品の一方の端部プレート部分が第１外枠部品の本体プレート部分の長手方向の一端部から同本体プレート部分の延在平面に対して垂直方向に延在していると共に、第１外枠部品の他方の端部プレート部分が第１外枠部品の本体プレート部分の長手方向の他端部から同本体プレート部分の延在平面に対して垂直方向に延在している。また、第２外枠部品の一方の端部プレート部分が第２外枠部品の本体プレート部分の長手方向の一端部から同本体プレート部分の延在平面に対して垂直方向に延在していると共に、第２外枠部品の他方の端部プレート部分が第２外枠部品の本体プレート部分の長手方向の他端部から同本体プレート部分の延在平面に対して垂直方向に延在している。そして、第１外枠部品の一方の端部プレート部分が第２外枠部品の一方の端部プレート部分に接続されていると共に、第１外枠部品の他方の端部プレート部分が第２外枠部品の他方の端部プレート部分に接続されている。そして、第１外枠部品の一方の端部プレート部分に第１係合壁面が設けられていると共に、第２外枠部品の一方の端部プレート部分に第２係合壁面が設けられている。そして、第１係合壁面が第１外枠部品の長手方向中央領域を中心とした撓みによる第１外枠部品の一方の端部プレート部分の移動方向に対して横方向であって第１外枠部品の長手方向に対して横方向に延在していると共に、第２係合壁面が第２外枠部品の長手方向中央領域を中心とした撓みによる第２外枠部品の一方の端部プレート部分の移動方向に対して横方向であって第２外枠部品の長手方向に対して横方向に延在している。そして、第１係合壁面と第２係合壁面とが互いに係合することによって第１外枠部品の一方の端部プレート部分と第２外枠部品の一方の端部プレート部分とが係止力をもって互いに接続されている。そして、本発明では、第１係合壁面と第２係合壁面とが係合する領域の長さであって第１外枠部品および第２外枠部品の長手方向に沿った長さが第１係合壁面を備えた第１外枠部品の端部プレート部分または第２係合壁面を備えた第２外枠部品の端部プレート部分の厚みよりも長い。
【００１４】
これによれば、第１外枠部品の長手方向中央領域を中心とした撓みが第１外枠部品に生じている場合、または、第２外枠部品の長手方向中央領域を中心とした撓みが第２外枠部品に生じている場合であっても、第１外枠部品の一方の端部プレート部分と第２外枠部品の一方の端部プレート部分との接続が第１外枠部品の撓みまたは第２外枠部品の撓みによって外れることが抑制されるという効果が得られる。
【００１５】
すなわち、第１外枠部品に撓みが生じている場合において、第１外枠部品と第２外枠部品とが互いに接続されると、第１外枠部品の撓みが解消された形で第１外枠部品が第２外枠部品に接続されていることから、このとき、第１外枠部品にはそれを撓ませようとする応力が内在していることになる。したがって、第１外枠部品の一方の端部プレート部分が第１外枠部品の長手方向中央領域を中心として第２外枠部品の一方の端部プレート部分から離れる方向に円弧を描くように移動しようとする力が第１外枠部品の一方の端部プレート部分に働く。ここで、第１係合壁面と第２係合壁面とが係合する領域の長さであって第１外枠部品および第２外枠部品の長手方向に沿った長さが比較的短いと、これら係合壁面の係合が上記第１外枠部品の一方の端部プレート部分の円弧を描くように移動しようとする力に耐えられず、これら係合壁面の係合が外れてしまうが、この長さが第１外枠部品の一方の端部プレート部分または第２外枠部品の一方の端部プレート部分の厚みよりも長ければ、これら係合壁面の係合が外れてしまうことを確実に防止することができ、あるいは、少なくとも、これら係合壁面の係合が外れてしまうことを抑制することができることが本願の発明者らの研究によって明らかになった。
【００１６】
本発明では、この長さが第１外枠部品の一方の端部プレート部分または第２外枠部品の一方の端部プレート部分の厚みよりも長くなっているのであるから、第１外枠部品の撓みによって第１係合壁面と第２係合壁面との係合が外れてしまうことが抑制されるのである。同様の理由から、第２外枠部品に撓みが生じている場合においても、第２外枠部品の撓みによって第１係合壁面と第２係合壁面との係合が外れてしまうことが抑制される。
【００１７】
以上の理由から、本発明によれば、第１外枠部品の一方の端部プレート部分と第２外枠部品の一方の端部プレート部分との接続が第１外枠部品の撓みまたは第２外枠部品の撓みによって外れることが抑制されるという効果が得られるのである。
【００１８】
また、上記発明において、第１係合壁面または第２係合壁面は上述した効果を奏する限り如何なる手段によって提供されてもよく、例えば、前記第１外枠部品の一方の端部プレート部分に設けられた第１係合壁面が第１外枠部品の撓みによる第１外枠部品の一方の端部プレート部分の移動方向に対して横方向であって第１外枠部品の長手方向に対して横方向に第１外枠部品の一方の端部プレート部分から突出する突起によって提供されると共に、前記第２外枠部品の一方の端部プレート部分に設けられた第２係合壁面が第２外枠部品の撓みによる第２外枠部品の端部プレート部分の移動方向に対して横方向であって第２外枠部品の長手方向に対して横方向に第２外枠部品の端部プレート部分から突出する突起によって提供される。
【００１９】
また、上記発明において、第１係合壁面または第２係合壁面は上述した効果を奏する限り如何なる手段によって提供されてもよく、例えば、前記第１外枠部品の一方の端部プレート部分に設けられた第１係合壁面が第１外枠部品の撓みによる第１外枠部品の一方の端部プレート部分の移動方向に対して横方向であって第１外枠部品の長手方向に対して横方向に第１外枠部品の一方の端部プレート部分から突出する突起によって提供されると共に、前記第２外枠部品の一方の端部プレート部分に設けられた第２係合壁面が第２外枠部品の撓みによる第２外枠部品の一方の端部プレート部分の移動方向に対して横方向であって第２外枠部品の長手方向に対して横方向に第２外枠部品の端部プレート部分の材料内部に延びるように形成された開口または溝または凹部によって提供される。
【００２０】
なお、上記発明において、前記第１係合壁面が第１外枠部品の一方の端部プレート部分に設けられているのに加えて、別の第１係合壁面が第１外枠部品の他方の端部プレート部分に設けられていると共に、前記第２係合壁面が第２外枠部品の一方の端部プレート部分に設けられているのに加えて、別の第２係合壁面が第２外枠部品の他方の端部プレート部分に設けられていてもよい。この場合、前記別の第１係合壁面が第１外枠部品の長手方向中央領域を中心とした撓みによる第１外枠部品の他方の端部プレート部分の移動方向に対して横方向であって第１外枠部品の長手方向に対して横方向に延在していると共に、前記別の第２係合壁面が第２外枠部品の長手方向中央領域を中心とした撓みによる第２外枠部品の他方の端部プレート部分の移動方向に対して横方向であって第２外枠部品の長手方向に対して横方向に延在しており、前記別の第１係合壁面と前記別の第２係合壁面とが互いに係合することによって第１外枠部品の他方の端部プレート部分と第２外枠部品の他方の端部プレート部分とが係止力をもって互いに接続されており、前記別の第１係合壁面と前記別の第２係合壁面とが係合する領域の長さであって第１外枠部品および第２外枠部品の長手方向に沿った長さが前記別の第１係合壁面を備えた第１外枠部品の端部プレート部分または前記別の第２係合壁面を備えた第２外枠部品の端部プレート部分の厚みよりも長いと好ましい。
【００２１】
これによれば、上述した理由と同じ理由から、第１外枠部品の長手方向中央領域を中心とした撓みが第１外枠部品に生じている場合、または、第２外枠部品の長手方向中央領域を中心とした撓みが第２外枠部品に生じている場合であっても、第１外枠部品の他方の端部プレート部分と第２外枠部品の他方の端部プレート部分との接続が第１外枠部品の撓みまたは第２外枠部品の撓みによって外れることが抑制されるという効果が得られる。
【００２２】
また、上記発明において、別の第１係合壁面または別の第２係合壁面は上述した効果を奏する限り如何なる手段によって提供されてもよく、例えば、前記第１外枠部品の他方の端部プレート部分に設けられた別の第１係合壁面が第１外枠部品の撓みによる第１外枠部品の他方の端部プレート部分の移動方向に対して横方向であって第１外枠部品の長手方向に対して横方向に第１外枠部品の一方の端部プレート部分から突出する突起によって提供されると共に、前記第２外枠部品の他方の端部プレート部分に設けられた第２係合壁面が第２外枠部品の撓みによる第２外枠部品の他方の端部プレート部分の移動方向に対して横方向であって第２外枠部品の長手方向に対して横方向に第２外枠部品の他方の端部プレート部分から突出する突起によって提供される。
【００２３】
また、上記発明において、別の第１係合壁面または別の第２係合壁面は上述した効果を奏する限り如何なる手段によって提供されてもよく、例えば、前記第１外枠部品の他方の端部プレート部分に設けられた別の第１係合壁面が第１外枠部品の撓みによる第１外枠部品の他方の端部プレート部分の移動方向に対して横方向であって第１外枠部品の長手方向に対して横方向に第１外枠部品の他方の端部プレート部分から突出する突起によって提供されると共に、前記第２外枠部品の他方の端部プレート部分に設けられた別の第２係合壁面が第２外枠部品の撓みによる第２外枠部品の他方の端部プレート部分の移動方向に対して横方向であって第２外枠部品の長手方向に対して横方向に第２外枠部品の端部プレート部分の材料内部に延びるように形成された開口または溝または凹部によって提供される。
【００２４】
また、上記発明において、第１外枠部分または第２外枠部分を構成する材料は上述した効果を奏する限り如何なる材料でもよいが、例えば、前記第１外枠部品または前記第２外枠部品が熱可塑性樹脂から製造された部品であると、より大きな効果を得ることができる。
【００２５】
つまり、第１外枠部品または第２外枠部品が熱可塑性樹脂から製造された場合、外枠部品にその長手方向における中央領域を中心とした大きな撓みが生じる可能性が高い。そして、この場合、その撓みによって外枠部品の端部プレート部分に設けられた係合壁面同士の係合が外れてしまう可能性が高い。しかしながら、こうした場合において、第１係合壁面が第１外枠部品の長手方向中央領域を中心とした撓みによる第１外枠部品の一方の端部プレート部分または他方の端部プレート部分の移動方向に対して横方向であって第１外枠部品の長手方向に対して横方向に延在し且つ第２係合壁面が第２外枠部品の長手方向中央領域を中心とした撓みによる第２外枠部品の一方の端部プレート部分または他方の端部プレート部分の移動方向に対して横方向であって第２外枠部品の長手方向に対して横方向に延在し、これら第１係合壁面と第２係合壁面とが係合する領域の長さであって第１外枠部品および第２外枠部品の長手方向に沿った長さが第１係合壁面を備えた第１外枠部品の端部プレート部分または第２係合壁面を備えた第２外枠部品の端部プレート部分の厚みよりも長いことから、外枠部品の撓みによって係合壁面同士の係合が外れてしまうことが確実に抑制されるという大きな効果を得ることができる。
【００２６】
また、上記発明において、前記第１外枠部品の本体プレート部分の外壁面全体または前記第２外枠部品の本体プレート部分の外壁面全体を覆う被覆プレートをさらに具備してもよい。
【００２７】
これによれば、第１外枠部品の製造、または、第１外枠部品の構造、または、第２外枠部品に対する第１外枠部品の接続、または、ブレードに対する第１外枠部品の組付けに関して第１外枠部品に要求される条件に起因して、第１外枠部品の本体プレート部分の外壁面に特有の意匠を施すことができない場合であっても、所望の意匠を施した被覆プレートによって第１外枠部品の本体プレート部分の外壁面全体を覆うことによって、実質的に、第１外枠部品の外壁面に所望の意匠を施した場合と同様の効果を得ることができるし、第１外枠部品を構成する材料として特有の色を有する材料を使用することができない場合であっても、所望の色を有する材料によって構成された被覆プレートによって第１外枠部品の本体プレート部分の外壁面全体を覆うことによって、実質的に、第１外枠部品を所望の色を有する材料を使用して構成した場合と同様の効果を得ることができる。
【００２８】
また、第２外枠部品の製造、または、第２外枠部品の構造、または、第１外枠部品に対する第２外枠部品の接続、または、ブレードに対する第２外枠部品の組付けに関して第２外枠部品に要求される条件に起因して、第２外枠部品の本体プレート部分の外壁面に特有の意匠を施すことができない場合であっても、所望の意匠を施した被覆プレートによって第２外枠部品の本体プレート部分の外壁面全体を覆うことによって、実質的に、第２外枠部品の外壁面に所望の意匠を施した場合と同様の効果を得ることができるし、第２外枠部品を構成する材料として特有の色を有する材料を使用することができない場合であっても、所望の色を有する材料によって構成された被覆プレートによって第２外枠部品の本体プレート部分の外壁面全体を覆うことによって、実質的に、第２外枠部品を所望の色を有する材料を使用して構成した場合と同様の効果を得ることができる。
【００２９】
また、本願の別の発明は、外枠と該外枠に組み付けられた複数のブレードと被覆プレートとを具備する風向調整用レジスタに関する。そして、前記外枠が２つの細長くて厚みの薄い本体プレート部分と２つの厚みの薄い端部プレート部分とを有する。そして、一方の本体プレート部分の一端部と他方の本体プレート部分の一端部とが一方の端部プレート部分によって連結されていると共に、一方の本体プレート部分の他端部と他方の本体プレート部分の他端部とが他方の端部プレート部分によって連結されている。また、一方の本体プレート部分の外壁面全体または他方の本体プレート部分の外壁面全体を覆うように前記被覆プレートが配置されている。また、被覆プレートが１つの細長くて厚みの薄い本体プレート部分と２つの厚みの薄い端部プレート部分とを有する。そして、被覆プレートの一方の端部プレート部分が被覆プレートの本体プレート部分の長手方向の一端部から同本体プレート部分の延在平面に対して垂直方向に延在していると共に、被覆プレートの他方の端部プレート部分が被覆プレートの本体プレート部分の長手方向の他端部から同本体プレート部分の延在平面に対して垂直方向に延在している。そして、被覆プレートの一方の端部プレート部分が外枠の一方の端部プレート部分に接続されていると共に、被覆プレートの他方の端部プレート部分が外枠の他方の端部プレート部分に接続されている。そして、外枠の一方の端部プレート部分に係合壁面が設けられていると共に、被覆プレートの一方の端部プレート部分に係合壁面が設けられている。そして、被覆プレートが外枠に接続された状態において被覆プレートの長手方向中央領域を中心とした撓みによる被覆プレートの一方の端部プレート部分の移動方向に対して横方向であって被覆プレートの長手方向に対して横方向に外枠の係合壁面および被覆プレートの係合壁面が延在している。そして、これら係合壁面が互いに係合することによって被覆プレートの一方の端部プレート部分が外枠の一方の端部プレート部分に係止力をもって接続されている。そして、本発明では、外枠の係合壁面と被覆プレートの係合壁面とが係合する領域の長さであって外枠および被覆プレートの長手方向に沿った長さが係合壁面を備えた外枠の端部プレート部分または係合壁面を備えた被覆プレートの端部プレート部分の厚みよりも長い。
【００３０】
これによれば、被覆プレートの長手方向中央領域を中心とした撓みが被覆プレートに生じている場合であっても、被覆プレートの一方の端部プレート部分と外枠の一方の端部プレート部分との接続が被覆プレートの撓みによって外れることが抑制されるという効果が得られる。
【００３１】
すなわち、被覆プレートに撓みが生じている場合において、被覆プレートと外枠とが互いに接続されると、被覆プレートの撓みが解消された形で被覆プレートが外枠に接続されていることから、このとき、被覆プレートにはそれを撓ませようとする応力が内在していることになる。したがって、被覆プレートの一方の端部プレート部分が被覆プレートの長手方向中央領域を中心として外枠の一方の端部プレート部分から離れる方向に円弧を描くように移動しようとする力が被覆プレートの一方の端部プレート部分に働く。ここで、被覆プレートの係合壁面と外枠の係合壁面とが係合する領域の長さであって被覆プレートの長手方向に沿った長さが比較的短いと、これら係合壁面の係合が上記被覆プレートの一方の端部プレート部分の円弧を描くように移動しようとする力に耐えられず、これら係合壁面の係合が外れてしまうが、この長さが被覆プレートの一方の端部プレート部分または外枠の一方の端部プレート部分の厚みよりも長ければ、これら係合壁面の係合が外れてしまうことを確実に防止することができ、あるいは、少なくとも、これら係合壁面の係合が外れてしまうことを抑制することができることが本願の発明者らの研究によって明らかになった。
【００３２】
本発明では、この長さが被覆プレートの一方の端部プレート部分または外枠の一方の端部プレート部分の厚みよりも長くなっているのであるから、被覆プレートの撓みによって被覆プレートの係合壁面と外枠の係合壁面との係合が外れてしまうことが抑制されるのである。
【００３３】
以上の理由から、本発明によれば、被覆プレートの一方の端部プレート部分と外枠の一方の端部プレート部分との接続が被覆プレートの撓みによって外れることが抑制されるという効果が得られるのである。
【００３４】
また、これによれば、外枠の製造、または、外枠の構造、または、ブレードに対する外枠の組付けに関して外枠に要求される条件に起因して、外枠の本体プレート部分の外壁面に特有の意匠を施すことができない場合であっても、所望の意匠を施した被覆プレートによって外枠の本体プレート部分の外壁面全体を覆うことによって、実質的に、外枠の外壁面に所望の意匠を施した場合と同様の効果を得ることができるし、外枠を構成する材料として特有の色を有する材料を使用することができない場合であっても、所望の色を有する材料によって構成された被覆プレートによって外枠の本体プレート部分の外壁面全体を覆うことによって、実質的に、外枠を所望の色を有する材料を使用して構成した場合と同様の効果を得ることができる。
【００３５】
また、上記発明において、外枠の係合壁面または被覆プレートの係合壁面は上述した効果を奏する限り如何なる手段によって提供されてもよく、例えば、前記被覆プレートが外枠に接続された状態において被覆プレートの長手方向中央領域を中心とした撓みによる被覆プレートの一方の端部プレート部分の移動方向に対して横方向であって被覆プレートの長手方向に対して横方向に外枠の一方の端部プレート部分から突出する突起によって外枠の前記係合壁面が提供されると共に、被覆プレートの長手方向中央領域を中心とした撓みによる被覆プレートの一方の端部プレート部分の移動方向に対して横方向であって被覆プレートの長手方向に対して横方向に被覆プレートの一方の端部プレート部分から突出する突起によって被覆プレートの前記係合壁面が提供される。
【００３６】
また、上記発明において、外枠の係合壁面または被覆プレートの係合壁面は上述した効果を奏する限り如何なる手段によって提供されてもよく、例えば、前記被覆プレートが外枠に接続された状態において被覆プレートの長手方向中央領域を中心とした撓みによる被覆プレートの一方の端部プレート部分の移動方向に対して横方向であって被覆プレートの長手方向に対して横方向に外枠の一方の端部プレート部分から突出する突起によって外枠の前記係合壁面が提供されると共に、被覆プレートの長手方向中央領域を中心とした撓みによる被覆プレートの一方の端部プレート部分の移動方向に対して横方向であって被覆プレートの長手方向に対して横方向に被覆プレートの一方の端部プレート部分の材料内部に延びるように形成された開口または溝または凹部によって被覆プレートの前記係合壁面が提供される。
【００３７】
また、上記発明において、外枠の係合壁面または被覆プレートの係合壁面は上述した効果を奏する限り如何なる手段によって提供されてもよく、例えば、前記被覆プレートが外枠に接続された状態において被覆プレートの長手方向中央領域を中心とした撓みによる被覆プレートの一方の端部プレート部分の移動方向に対して横方向であって被覆プレートの長手方向に対して横方向に外枠の一方の端部プレート部分の材料内部に延びるように形成された開口または溝または凹部によって外枠の前記係合壁面が提供されると共に、被覆プレートの長手方向中央領域を中心とした撓みによる被覆プレートの一方の端部プレート部分の移動方向に対して横方向であって被覆プレートの長手方向に対して横方向に被覆プレートの一方の端部プレート部分から突出する突起によって被覆プレートの前記係合壁面が提供される。
【００３８】
なお、上記発明において、前記外枠の一方の端部プレート部分に前記係合壁面が設けられているのに加えて、外枠の他方の端部プレート部分に別の係合壁面が設けられていると共に、前記被覆プレートの一方の端部プレート部分に前記係合壁面が設けられているのに加えて、被覆プレートの他方の端部プレート部分に別の係合壁面が設けられていてもよい。この場合、被覆プレートが外枠に接続された状態において被覆プレートの長手方向中央領域を中心とした撓みによる被覆プレートの他方の端部プレート部分の移動方向に対して横方向であって被覆プレートの長手方向に対して横方向に外枠の前記別の係合壁面および被覆プレートの前記別の係合壁面が延在しており、外枠の前記別の係合壁面と被覆プレートの前記別の係合壁面とが互いに係合することによって被覆プレートの他方の端部プレート部分が外枠の他方の端部プレート部分に係止力をもって接続されており、外枠の前記別の係合壁面と被覆プレートの前記別の係合壁面とが係合する領域の長さであって外枠および被覆プレートの長手方向に沿った長さが前記別の係合壁面を備えた外枠の端部プレート部分または前記別の係合壁面を備えた被覆プレートの端部プレート部分の厚みよりも長いと好ましい。
【００３９】
これによれば、上述した理由と同じ理由から、被覆プレートの長手方向中央領域を中心とした撓みが被覆プレートに生じている場合であっても、被覆プレートの他方の端部プレート部分と外枠の他方の端部プレート部分との接続が被覆プレートの撓みによって外れることが抑制されるという効果が得られる。
【００４０】
また、上記発明において、外枠の別の係合壁面または被覆プレートの別の係合壁面は上述した効果を奏する限り如何なる手段によって提供されてもよく、例えば、前記被覆プレートが外枠に接続された状態において被覆プレートの長手方向中央領域を中心とした撓みによる被覆プレートの他方の端部プレート部分の移動方向に対して横方向であって被覆プレートの長手方向に対して横方向に外枠の他方の端部プレート部分から突出する突起によって外枠の前記別の係合壁面が提供されると共に、被覆プレートの長手方向中央領域を中心とした撓みによる被覆プレートの他方の端部プレート部分の移動方向に対して横方向であって被覆プレートの長手方向に対して横方向に被覆プレートの他方の端部プレート部分から突出する突起によって被覆プレートの前記別の係合壁面が提供される。
【００４１】
また、上記発明において、外枠の別の係合壁面または被覆プレートの別の係合壁面は上述した効果を奏する限り如何なる手段によって提供されてもよく、例えば、前記被覆プレートが外枠に接続された状態において被覆プレートの長手方向中央領域を中心とした撓みによる被覆プレートの他方の端部プレート部分の移動方向に対して横方向であって被覆プレートの長手方向に対して横方向に外枠の他方の端部プレート部分から突出する突起によって外枠の前記別の係合壁面が提供されると共に、被覆プレートの長手方向中央領域を中心とした撓みによる被覆プレートの他方の端部プレート部分の移動方向に対して横方向であって被覆プレートの長手方向に対して横方向に被覆プレートの他方の端部プレート部分の材料内部に延びるように形成された開口または溝または凹部によって被覆プレートの前記別の係合壁面が提供される。
【００４２】
また、上記発明において、外枠の別の係合壁面または被覆プレートの別の係合壁面は上述した効果を奏する限り如何なる手段によって提供されてもよく、例えば、前記被覆プレートが外枠に接続された状態において被覆プレートの長手方向中央領域を中心とした撓みによる被覆プレートの他方の端部プレート部分の移動方向に対して横方向であって被覆プレートの長手方向に対して横方向に外枠の他方の端部プレート部分の材料内部に延びるように形成された開口または溝または凹部によって外枠の前記別の係合壁面が提供されると共に、被覆プレートの長手方向中央領域を中心とした撓みによる被覆プレートの他方の端部プレート部分の移動方向に対して横方向であって被覆プレートの長手方向に対して横方向に被覆プレートの他方の端部プレート部分から突出する突起によって被覆プレートの前記別の係合壁面が提供される。
【００４３】
また、上記発明において、被覆プレートを構成する材料は上述した効果を奏する限り如何なる材料でもよいが、例えば、前記被覆プレートが熱可塑性樹脂から製造された部品であると、より大きな効果を得ることができる。
【００４４】
つまり、被覆プレートが熱可塑性樹脂から製造された場合、被覆プレートにその長手方向における中央領域を中心とした大きな撓みが生じる可能性が高い。そして、この場合、その撓みによって被覆プレートの係合壁面と外枠の係合壁面との係合が外れてしまう可能性が高い。しかしながら、こうした場合において、被覆プレートの係合壁面が被覆プレートの長手方向中央領域を中心とした撓みによる被覆プレートの端部プレート部分の移動方向に対して横方向であって被覆プレートの長手方向に対して横方向に延在し且つ外枠の係合壁面が被覆プレートが外枠に接続された状態において被覆プレートの長手方向中央領域を中心とした撓みによる被覆プレートの端部プレート部分の移動方向に対して横方向であって被覆プレートの長手方向に対して横方向に延在し、これら係合壁面が互いに係合する領域の長さであって被覆プレートの長手方向に沿った長さが被覆プレートの端部プレート部分の厚みよりも長いことから、被覆プレートの撓みによって係合壁面同士の係合が外れてしまうことが確実に抑制されるという大きな効果を得ることができる。
【図面の簡単な説明】
【００４５】
【図１】本発明の風向調整用レジスタの１つの実施形態の分解斜視図である。
【図２】（Ａ）風向調整用レジスタの正面図であり、（Ｂ）同レジスタの背面図である。
【図３】（Ａ）は図２（Ａ）に矢印Ｕで示された方向から見たときの風向調整用レジスタの上面図であり、（Ｂ）は図２（Ａ）に矢印Ｂで示された方向から見たときの風向調整用レジスタの下面図である。
【図４】（Ａ）は図２（Ａ）に矢印Ｒで示された方向から見たときの風向調整用レジスタの右側面図であり、（Ｂ）は図２（Ａ）に矢印Ｌで示された方向から見たときの風向調整用レジスタの左側面図である。
【発明を実施するための形態】
【００４６】
以下、図面を参照して本発明の風向調整用レジスタの実施形態について説明する。図１〜図４に本発明の風向調整用レジスタの１つの実施形態が示されている。図１は１つの実施形態の風向調整用レジスタの分解図であり、図２は本実施形態の風向調整用レジスタの正面図と背面図であり、図３は本実施形態の風向調整用レジスタの上面図と下面図であり、図４は本実施形態の風向調整用レジスタの右側面図と左側面図である。
【００４７】
図示されているレジスタは２つの外枠部品１０、１１と、複数のブレード１２と、１本のロッド１３と、２つの端部部品１４、１５と、１つの被覆プレート１６とを具備する。これら外枠部品１０、１１、ブレード１２、ロッド１３、端部部品１４、１５、および、被覆プレート１６は熱可塑性樹脂（特に、ポリプロピレン）から製造される。また、２つの外枠部品１０、１１が互いに接続されることによって外枠が構成される。また、本実施形態では、外枠部品１０、１１、ブレード１２、ロッド１３、および、端部部品１４、１５は１つの成形機内で成形され、これら成形された外枠部品、ブレード、ロッド、および、端部部品が同じ成形機内で接続され或いは組み付けられることによってこれら外枠部品、ブレード、ロッド、および、端部部品の組立体が製造される。そして、これとは別に被覆プレート１６が成形され、この被覆プレート１６が上記組立体に接続されることによって本実施形態の風向調整用レジスタが製造される。
【００４８】
一方の外枠部品（以下この部品を「第１外枠部品」という）１０は１つの細長くて厚みの薄い本体プレート部分１０Ａと２つの厚みの薄い端部プレート部分１０Ｂ、１０Ｃとを有する。一方の端部プレート部分１０Ｂは本体プレート部分１０Ａの長手方向の一端部から本体プレート部分１０Ａの延在平面に対して垂直方向に延在する。他方の端部プレート部分１０Ｃは本体プレート部分１０Ａの長手方向の他端部から本体プレート部分１０Ａの延在平面に対して垂直方向に延在する。
【００４９】
なお、本体プレート部分１０Ａの長手方向に測った本体プレート部分の寸法を「縦寸法」と称し、本体プレート部分１０Ａの長手方向に対して横方向であって本体プレート部分１０Ａの延在平面に沿った方向に測った本体プレート部分の寸法を「横寸法」と称し、本体プレート部分１０Ａの長手方向に対して横方向であって本体プレート部分１０Ａの延在平面に対して垂直方向に測った本体プレート部分の寸法を「厚み寸法」と称したとき、縦寸法は横寸法よりも大きく、厚み寸法は横寸法よりも相当に小さく且つ縦寸法よりも圧倒的に小さい。
【００５０】
また、本体プレート部分１０Ａの一端部から端部プレート部分１０Ｂの延在方向に測った端部プレート部分１０Ｂの寸法を「縦寸法」と称し、端部プレート部分１０Ｂの上記延在方向であって端部プレート部分１０Ｂの延在平面に沿った方向に測った端部プレート部分１０Ｂの寸法を「横寸法」と称し、端部プレート部分１０Ｂの上記延在方向であって端部プレート部分１０Ｂの延在平面に対して垂直に測った端部プレート部分１０Ｂの寸法を「厚み寸法」と称したとき、縦寸法は横寸法よりも小さく、厚み寸法は横寸法および縦寸法よりも相当に小さい。
【００５１】
同様に、本体プレート部分１０Ａの他端部から端部プレート部分１０Ｃの延在方向に測った端部プレート部分１０Ｃの寸法を「縦寸法」と称し、端部プレート部分１０Ｃの上記延在方向であって端部プレート部分１０Ｃの延在平面に沿った方向に測った端部プレート部分１０Ｃの寸法を「横寸法」と称し、端部プレート部分１０Ｃの上記延在方向であって端部プレート部分１０Ｃの延在平面に対して垂直に測った端部プレート部分１０Ｃの寸法を「厚み寸法」と称したとき、縦寸法は横寸法よりも小さく、厚み寸法は横寸法および縦寸法よりも相当に小さい。
【００５２】
他方の外枠部品（以下この部品を「第２外枠部品」という）１１は１つの細長くて厚みの薄い本体プレート部分１１Ａと２つの厚みの薄い端部プレート部分１１Ｂ、１１Ｃとを有する。一方の端部プレート部分１１Ｂは本体プレート部分１１Ａの長手方向の一端部から本体プレート部分１１Ａの延在平面に対して垂直方向に延在する。他方の端部プレート部分１１Ｃは本体プレート部分１１Ａの長手方向の他端部から本体プレート部分１１Ａの延在平面に対して垂直方向に延在する。
【００５３】
なお、本体プレート部分１１Ａの長手方向に測った本体プレート部分の寸法を「縦寸法」と称し、本体プレート部分１１Ａの長手方向に対して横方向であって本体プレート部分１１Ａの延在平面に沿った方向に測った本体プレート部分の寸法を「横寸法」と称し、本体プレート部分１１Ａの長手方向に対して横方向であって本体プレート部分１１Ａの延在平面に対して垂直方向に測った本体プレート部分の寸法を「厚み寸法」と称したとき、縦寸法は横寸法よりも大きく、厚み寸法は横寸法よりも相当に小さく且つ縦寸法よりも圧倒的に小さい。
【００５４】
また、本体プレート部分１１Ａの一端部から端部プレート部分１１Ｂの延在方向に測った端部プレート部分１１Ｂの寸法を「縦寸法」と称し、端部プレート部分１１Ｂの上記延在方向であって端部プレート部分１１Ｂの延在平面に沿った方向に測った端部プレート部分１１Ｂの寸法を「横寸法」と称し、端部プレート部分１１Ｂの上記延在方向であって端部プレート部分１１Ｂの延在平面に対して垂直に測った端部プレート部分１１Ｂの寸法を「厚み寸法」と称したとき、縦寸法は横寸法よりも小さく、厚み寸法は横寸法および縦寸法よりも相当に小さい。
【００５５】
同様に、本体プレート部分１１Ａの他端部から端部プレート部分１１Ｃの延在方向に測った端部プレート部分１１Ｃの寸法を「縦寸法」と称し、端部プレート部分１１Ｃの上記延在方向であって端部プレート部分１１Ｃの延在平面に沿った方向に測った端部プレート部分１１Ｃの寸法を「横寸法」と称し、端部プレート部分１１Ｃの上記延在方向であって端部プレート部分１１Ｃの延在平面に対して垂直に測った端部プレート部分１１Ｃの寸法を「厚み寸法」と称したとき、縦寸法は横寸法よりも小さく、厚み寸法は横寸法および縦寸法よりも相当に小さい。
【００５６】
上述したように、２つの外枠部品１０、１１が互いに接続されることによって外枠が構成されるが、より具体的には、第１外枠部品１０の一方の端部プレート部分１０Ｂと第２外枠部品の一方の端部プレート部分１１Ｂとが互いに接続されると共に第１外枠部品１０の他方の端部プレート部分１０Ｃと第２外枠部品の他方の端部プレート部分１１Ｃとが互いに接続されることによって外枠が構成される。
【００５７】
ところで、図１を参照すると判るように、第１外枠部品１０の一方の端部プレート部分１０Ｂの一方の側端部には、かぎ爪部分１０Ｄが設けられている。かぎ爪部分１０Ｄは端部プレート部分１０Ｂの一方の側端部から端部プレート部分１０Ｂの縦寸法の方向に本体プレート部分１０Ａから離れる方向に突出している。また、かぎ爪部分１０Ｄはその先端に本体プレート部分１０Ａの幅寸法の方向であって端部プレート部分１０Ｂの他方の側端部に向かう方向に突出する突起１０Ｅを有する。
【００５８】
一方、第２外枠部品１１の一方の端部プレート部分１１Ｂの一方の側端部（詳細には、第２外枠部品１１が第１外枠部品１０に接続されるときに第１外枠部品１０の一方の端部プレート部分１０Ｂの一方の側端部に対面する側端部）には、かぎ爪部分１１Ｄが設けられている。かぎ爪部分１１Ｄは端部プレート部分１１Ｂの一方の側端部から端部プレート部分１１Ｂの縦寸法の方向に本体プレート部分１１Ａから離れる方向に突出している。また、かぎ爪部分１１Ｄはその先端に本体プレート部分１１Ａの幅寸法の方向であって端部プレート部分１１Ｂの他方の側端部に向かう方向とは逆方向に突出する突起１１Ｅを有する。
【００５９】
第１外枠部品１０の一方の端部プレート部分１０Ｂと第２外枠部品１１の一方の端部プレート部分１１Ｂとが互いに接続されたとき、第１外枠部品１０の本体プレート部分１０Ａの延在平面に平行であって本体プレート部分１０Ａの方を向いた突起１０Ｅの壁面と第２外枠部品１１の本体プレート部分１１Ａの延在平面に平行であって本体プレート部分１１Ａの方を向いた突起１１Ｅの壁面とが互いに係合する。そして、これら壁面（以下これら壁面をそれぞれ「係合壁面」という）は第１外枠部品１０の一方の端部プレート部分１０Ｂと第２外枠部品１１の一方の端部プレート部分１１Ｂとが互いから離れようとしたときに互いに圧縮されつつ係合することによってこれら端部プレート部分１０Ｂ、１１Ｂが互いから離れることを抑制する。
【００６０】
なお、突起１０Ｅの係合壁面と突起１１Ｅの係合壁面とが係合する領域の長さであって、第１外枠部品１０および第２外枠部品１１の長手方向に沿った長さは、端部プレート部分１０Ｂ、１１Ｂの厚み寸法よりも長い。
【００６１】
同様に、図１を参照すると判るように、第１外枠部品１０の他方の端部プレート部分１０Ｃの一方の側端部には、かぎ爪部分１０Ｆが設けられている。かぎ爪部分１０Ｆは端部プレート部分１０Ｃの一方の側端部から端部プレート部分１０Ｃの縦寸法の方向に本体プレート部分１０Ａから離れる方向に突出している。また、かぎ爪部分１０Ｆはその先端に本体プレート部分１０Ａの幅寸法の方向であって端部プレート部分１０Ｃの他方の側端部に向かう方向に突出する突起１０Ｇを有する。
【００６２】
一方、第２外枠部品１１の他方の端部プレート部分１１Ｃの一方の側端部（詳細には、第２外枠部品１１が第１外枠部品１０に接続されるときに第１外枠部品１０の他方の端部プレート部分１０Ｃの一方の側端部に対面する側端部）には、かぎ爪部分１１Ｆが設けられている。かぎ爪部分１１Ｆは端部プレート部分１１Ｃの一方の側端部から端部プレート部分１１Ｃの縦寸法の方向に本体プレート部分１１Ａから離れる方向に突出している。また、かぎ爪部分１１Ｆはその先端に本体プレート部分１１Ａの幅寸法の方向であって端部プレート部分１１Ｃの他方の側端部に向かう方向とは逆方向に突出する突起１１Ｇを有する。
【００６３】
第１外枠部品１０の他方の端部プレート部分１０Ｃと第２外枠部品１１の他方の端部プレート部分１１Ｃとが互いに接続されたとき、第１外枠部品１０の本体プレート部分１０Ａの延在平面に平行であって本体プレート部分１０Ａの方を向いた突起１０Ｇの壁面と第２外枠部品１１の本体プレート部分１１Ａの延在平面に平行であって本体プレート部分１１Ａの方を向いた突起１１Ｇの壁面とが互いに係合する。そして、これら壁面（以下これら壁面をそれぞれ「係合壁面」という）は第１外枠部品１０の他方の端部プレート部分１０Ｃと第２外枠部品１１の他方の端部プレート部分１１Ｃとが互いから離れようとしたときに互いに圧縮されつつ係合することによってこれら端部プレート部分１０Ｃ、１１Ｃが互いから離れることを抑制する。
【００６４】
なお、突起１０Ｇの係合壁面と突起１１Ｇの係合壁面とが係合する領域の長さであって、第１外枠部品１０および第２外枠部品１１の長手方向に沿った長さは、端部プレート部分１０Ｃ、１１Ｃの厚み寸法よりも長い。
【００６５】
以上説明したように構成された突起の係合壁面同士の係合によって第１外枠部品と第２外枠部品とを互いに接続する形態をとることによって、第１外枠部品の長手方向中央領域を中心として当該第１外枠部品の本体プレート部分の外壁面側の部分（つまり、第１外枠部品と第２外枠部品とが接続されたときに外方を向いている第１外枠部品の本体プレート部分の壁面近傍の部分）が縮むと共に本体プレート部分の内壁面側の部分（つまり、第１外枠部品と第２外枠部品とが接続されたときに内方を向いている第１外枠部品の本体プレート部分の壁面近傍の部分）が伸びるような撓みが第１外枠部品に生じている場合（以下この撓みを単に「撓み」）という）であっても、第２外枠部品の長手方向中央領域を中心として当該第２外枠部品の本体プレート部分の外壁面側の部分（つまり、第１外枠部品と第２外枠部品とが接続されたときに外方を向いている第２外枠部品の本体プレート部分の壁面近傍の部分）が縮むと共に本体プレート部分の内壁面側の部分（つまり、第１外枠部品と第２外枠部品とが接続されたときに内方を向いている第２外枠部品の本体プレート部分の壁面近傍の部分）が伸びるような撓みが第２外枠部品に生じている場合（以下この撓みを単に「撓み」）という）であっても、突起の係合壁面同士の係合が第１外枠部品の撓みまたは第２外枠部品の撓みによって外れることが抑制され、ひいては、第１外枠部品と第２外枠部品との接続が第１外枠部品の撓みまたは第２外枠部品の撓みによって外れることが抑制される。
【００６６】
すなわち、第１外枠部品に撓みが生じている場合において、第１外枠部品と第２外枠部品とが互いに接続されると、第１外枠部品の撓みが解消された形で第１外枠部品が第２外枠部品に接続されることになる。したがって、このとき、第１外枠部品にはそれを撓ませようとする応力が内在していることになる。したがって、第１外枠部品の端部プレート部分が第１外枠部品の長手方向中央領域を中心として第２外枠部品の端部プレート部分から離れる方向に円弧を描くように移動しようとする力が第１外枠部品の端部プレート部分に働く。ここで、第１外枠部品の端部プレート部分の係合壁面と第２外枠部品の端部プレート部分の係合壁面とが係合する領域の長さであって、第１外枠部品および第２外枠部品に沿った長さが比較的短いと、これら係合壁面の係合が第１外枠部品の端部プレート部分の円弧を描くように移動しようとする力に耐えられず、これら係合壁面の係合が外れてしまうが、この長さが第１外枠部品または第２外枠部品の端部プレート部分の厚み寸法よりも長ければ、これら係合壁面の係合が外れてしまうことを確実に防止することができ、あるいは、少なくとも、これら係合壁面の係合が外れてしまうことを抑制することができることが本願の発明者らの研究によって明らかになった。
【００６７】
上述した実施形態では、この長さが第１外枠部品または第２外枠部品の端部プレート部分の厚み寸法よりも長くなっているのであるから、第１外枠部品の撓みによって第１外枠部品の係合壁面と第２外枠部品の係合壁面との係合が外れてしまうことが抑制される。同様の理由から、第２外枠部品に撓みに生じている場合においても、第２外枠部品の撓みによって第１外枠部品の係合壁面と第２外枠部品の係合壁面との係合が外れてしまうことが抑制される。
【００６８】
以上の理由から、上述した実施形態によれば、第１外枠部品の端部プレート部分と第２外枠部品の端部プレート部分との接続が第１外枠部品の撓みまたは第２外枠部品の撓みによって外れることが抑制されるという効果が得られる。
【００６９】
また、第１外枠部品と第２外枠部品とを１つの成形機内で成形し、これら成形された第１外枠部品と第２外枠部品とを同じ成形機内で接続することによって外枠を製造する方法を採用した場合、第１外枠部品および第２外枠部品に撓みが生じる可能性が高い。こうした場合に本発明を適用すれば、上述した効果としてより大きな効果を得ることができる。
【００７０】
なお、上述した実施形態は第１外枠部品の係合壁面を突起によって提供すると共に第２外枠部品の係合壁面を突起によって提供する実施形態である。しかしながら、本発明によれば、上述した効果を得られる限りにおいて、第１外枠部品の係合壁面を上記突起によって提供すると共に第２外枠部品に突起を設ける代わりに開口または溝または凹部を設け、この開口または溝または凹部を画成する壁面によって第２外枠部品の係合壁面を提供するようにしてもよい。また、本発明によれば、上述した効果を得られる限りにおいて、第１外枠部品に突起を設ける代わりに開口または溝または凹部を設け、この開口または溝または凹部を画成する壁面によって第１外枠部品の係合壁面を提供すると共に第２外枠部品の係合壁面を上記突起によって提供するようにしてもよい。
【００７１】
また、上述した実施形態は係合壁面を提供する突起を第１外枠部品および第２外枠部品の端部プレート部分に設けた実施形態である。しかしながら、本発明によれば、上述した効果を得られる限りにおいて、上記突起を第１外枠部品および第２外枠部品の端部プレート部分以外の同第１外枠部品および第２外枠部品に設けるようにしてもよい。
【００７２】
なお、ブレード１２はそれぞれプレート状の形状をしている。本実施形態のレジスタにおいて、ブレード１２はそれぞれ互いに接続された外枠部品１０、１１によって挟持されている。ブレード１２は外枠部品１０、１１によって挟持されている状態において外枠部品１０、１１に対して回動可能である。
【００７３】
また、ロッド１３は棒状の形状をしている。本実施形態のレジスタにおいて、ロッド１３は全てのブレード１２に接続されている。ロッド１３はブレード１２に接続された状態においてレジスタの長手軸線（以下この軸線を「レジスタ長手軸線」という）に対して平行な方向に外枠部品１０、１１に対して移動可能である。ロッド１３がレジスタ長手軸線に対して平行な一方の方向に外枠部品１０、１１に対して移動せしめられると、ロッド１３は全てのブレード１２を同時に外枠部品１０、１１に対して一方の方向に回動させることができる。一方、ロッド１３がレジスタ長手軸線に対して平行な他方の方向に外枠部品１０、１１に対して移動せしめられると、ロッド１３は全てのブレード１２を同時に外枠部品１０、１１に対して他方の方向に回動させることができる。ブレード１２が外枠部品１０、１１に対して回動せしめられることによってレジスタから放出される気体の流量および流れの向きが変更せしめられる。
【００７４】
また、一方の端部部品１４は互いに接続された第１外枠部品１０の一方の端部プレート部分１０Ｂと第２外枠部品１１の一方の端部プレート部分１１Ｂとを覆うようにして第１外枠部品１０と第２外枠部品１１とによって形成される外枠の一方の端部に取り付けられる。また、他方の端部部品１５は互いに接続された第１外枠部品１０の他方の端部プレート部分１０Ｃと第２外枠部品１１の他方の端部プレート部分１１Ｃとを覆うようにして第１外枠部品１０と第２外枠部品１１とによって形成される外枠の他方の端部に取り付けられる。
【００７５】
また、被覆プレート１６は１つの細長くて厚みの薄い本体プレート部分１６Ａと２つの厚みの薄い端部プレート部分１６Ｂ、１６Ｃとを有する。一方の端部プレート部分１６Ｂは本体プレート部分１６Ａの長手方向の一端部から本体プレート部分１６Ａの延在平面に対して垂直方向に延在する。他方の端部プレート部分１６Ｃは本体プレート部分１６Ａの長手方向の他端部から本体プレート部分１６Ａの延在平面に対して垂直方向に延在する。
【００７６】
なお、本体プレート部分１６Ａの長手方向に測った本体プレート部分の寸法を「縦寸法」と称し、本体プレート部分１６Ａの長手方向に対して横方向であって本体プレート部分１６Ａの延在平面に沿った方向に測った本体プレート部分の寸法を「横寸法」と称し、本体プレート部分１６Ａの長手方向に対して横方向であって本体プレート部分１６Ａの延在平面に対して垂直方向に測った本体プレート部分の寸法を「厚み寸法」と称したとき、縦寸法は横寸法よりも大きく、厚み寸法は横寸法よりも相当に小さく且つ縦寸法よりも圧倒的に小さい。
【００７７】
また、本体プレート部分１６Ａの一端部から端部プレート部分１６Ｂの延在方向に測った端部プレート部分１６Ｂの寸法を「縦寸法」と称し、端部プレート部分１６Ｂの上記延在方向であって端部プレート部分１６Ｂの延在平面に沿った方向に測った端部プレート部分１６Ｂの寸法を「横寸法」と称し、端部プレート部分１６Ｂの上記延在方向であって端部プレート部分１６Ｂの延在平面に対して垂直に測った端部プレート部分１６Ｂの寸法を「厚み寸法」と称したとき、縦寸法は横寸法よりも小さく、厚み寸法は横寸法および縦寸法よりも相当に小さい。
【００７８】
同様に、本体プレート部分１６Ａの他端部から端部プレート部分１６Ｃの延在方向に測った端部プレート部分１６Ｃの寸法を「縦寸法」と称し、端部プレート部分１６Ｃの上記延在方向であって端部プレート部分１６Ｃの延在平面に沿った方向に測った端部プレート部分１６Ｃの寸法を「横寸法」と称し、端部プレート部分１６Ｃの上記延在方向であって端部プレート部分１６Ｃの延在平面に対して垂直に測った端部プレート部分１６Ｃの寸法を「厚み寸法」と称したとき、縦寸法は横寸法よりも小さく、厚み寸法は横寸法および縦寸法よりも相当に小さい。
【００７９】
被覆プレート１６の一方の端部プレート部分１６Ｂには、当該端部プレート部分１６Ｂをその厚み方向に貫通する２つの開口１６Ｄが設けられている。また、被覆プレート１６の他方の端部プレート部分１６Ｃには、当該端部プレート部分１６Ｃをその厚み方向に貫通する２つの開口１６Ｅが設けられている。また、一方の端部部品１４にはその外壁面から外方に突出する２つの突起１４Ａが設けられている。これら突起１４Ａは端部部品１４が外枠に取り付けられたときに第１外枠部品１０の本体プレート部分１０Ａの延在方向（したがって、第２外枠部品１１の本体プレート部分１１Ａの延在方向）に端部部品１４の外壁面から外方に突出する。また、他方の端部部品１５にもその外壁面から外方に突出する２つの突起（図示せず）が設けられている。これら突起は端部部品１５が外枠に取り付けられたときに第１外枠部品１０の本体プレート部分１０Ａの延在方向（したがって、第２外枠部品１１の本体プレート部分１１Ａの延在方向）に端部部品１５の外壁面から外方に突出する。
【００８０】
被覆プレート１６の一方の端部プレート部分１６Ｂに設けられた開口１６Ｄが一方の端部部品１４に設けられた突起１４Ａに係合すると共に、被覆プレート１６の他方の端部プレート部分１６Ｃに設けられた開口１６Ｅが他方の端部部品１５に設けられた突起（図示せず）に係合することによって、被覆プレート１６が実質的に外枠に取り付けられる。
【００８１】
このように被覆プレートによって第１外枠部品１０の外壁面全体を覆う構成を採用することによって、第１外枠部品の製造、または、第１外枠部品の構造、または、第２外枠部品に対する第１外枠部品の接続、または、ブレードに対する第１外枠部品の組付けに関して第１外枠部品に要求される条件に起因して、第１外枠部品の本体プレート部分の外壁面に特有の意匠を施すことができない場合であっても、所望の意匠を施した被覆プレートによって第１外枠部品の本体プレート部分の外壁面全体を覆うことによって、実質的に、第１外枠部品の外壁面に所望の意匠を施した場合と同様の効果を得ることができるし、第１外枠部品を構成する材料として特有の色を有する材料を使用することができない場合であっても、所望の色を有する材料によって構成された被覆プレートによって第１外枠部品の本体プレート部分の外壁面全体を覆うことによって、実質的に、第１外枠部品を所望の色を有する材料を使用して構成した場合と同様の効果を得ることができる。
【００８２】
特に、第１外枠部品、第２外枠部品、ブレード、ロッド、および、端部部品を１つの成形機内で成形し、これら成形された第１外枠部品、第２外枠部品、ブレード、ロッド、および、端部部品を同じ成形機内で接続し或いは組み付けることによってこれら第１外枠部品、第２外枠部品、ブレード、ロッド、および、端部部品の組立体を製造する方法を採用した場合、第１外枠部品および第２外枠部品に要求される条件が厳しいものになる可能性が高い。したがって、こうした場合において、これら第１外枠部品、第２外枠部品、ブレード、ロッド、および、端部部品とは別に被覆プレートを製造し、１つの成形機内で製造された組立体に被覆プレートを取り付けるようにすれば、上述した効果としてより大きな効果を得ることができる。
【００８３】
なお、上述した実施形態は第１外枠部品および第２外枠部品が熱可塑性樹脂によって製造される場合に本発明を適用した実施形態である。しかしながら、本発明は第１外枠部品が熱可塑性樹脂によって製造されていない場合であっても第１外枠部品に撓みが生じる場合であれば適用可能である。もちろん、本発明は第２外枠部品が熱可塑性樹脂によって製造されていない場合であっても第２外枠部品に撓みが生じる場合であれば適用可能である。
【００８４】
また、被覆プレート１６の長手方向中央領域を中心として当該被覆プレート１６の本体プレート部分１６Ａの外壁面側の部分（つまり、被覆プレート１６が外枠に取り付けられたときに外方を向いている被覆プレート１６の本体プレート部分１６Ａの壁面近傍の部分）が縮むと共に本体プレート部分１６Ａの内壁面側の部分（つまり、被覆プレート１６が外枠に取り付けられたときに内方を向いている被覆プレート１６の本体プレート部分１６Ａの壁面近傍の部分）が伸びるような撓みが被覆プレート１６に生じている場合（以下この撓みを単に「撓み」）という）に本発明を適用してもよい。
【００８５】
この場合、例えば、上述した実施形態の被覆プレート１６の一方の端部プレート部分１６Ｂの開口１６Ｄに代えて、被覆プレート１６の端部プレート部分１６Ｂに、本体プレート部分１６Ａの幅寸法の方向であって端部プレート部分１６Ｂの一方の側端部から他方の側端部に向かう方向に突出する突起が設けられると共に、一方の端部部品１４の突起１４Ａに代えて、被覆プレート１６の一方の端部プレート部分１６Ｂを端部部品１４に取り付けたときに上記突起に対応する端部部品１４の部分に上記突起とは逆方向に突出する突起が設けられる。さらに、上述した実施形態の被覆プレート１６の他方の端部プレート部分１６Ｃの開口１６Ｅに代えて、被覆プレート１６の端部プレート部分１６Ｃに、本体プレート部分１６Ａの幅寸法の方向であって端部プレート部分１６Ｃの一方の側端部から他方の側端部に向かう方向に突出する突起が設けられると共に、他方の端部部品１５の突起に代えて、被覆プレート１６の他方の端部プレート部分１６Ｃを端部部品１５に取り付けたときに上記突起に対応する端部部品１５の部分に上記突起とは逆方向に突出する突起が設けられる。
【００８６】
そして、被覆プレート１６の一方の端部プレート１６Ｂが一方の端部部品１４に取り付けられたとき、当該端部プレート部分１６Ｂに設けられた上記突起の壁面のうち被覆プレート１６の本体プレート部分１６Ａの延在平面に平行であって本体プレート部分１６Ａの方を向いた壁面（以下この壁面を「係合壁面」という）が一方の端部部品１４に設けられた上記突起の壁面のうち上記被覆プレートの突起の係合壁面に対面する壁面（以下この壁面も「係合壁面」という）に係合する。そして、これら係合壁面は被覆プレート１６の一方の端部プレート部分１６Ｂが一方の端部部品１４から離れようとしたときに互いに圧縮されつつ係合することによって被覆プレート１６の一方の端部プレート部分１６Ｂが一方の端部部品１４から離れることを抑制する。
【００８７】
一方、被覆プレート１６の他方の端部プレート１６Ｃが他方の端部部品１５に取り付けられたとき、当該端部プレート部分１６Ｃに設けられた上記突起の壁面のうち被覆プレート１６の本体プレート部分１６Ａの延在平面に平行であって本体プレート部分１６Ａの方を向いた壁面（以下この壁面を「係合壁面」という）が他方の端部部品１５に設けられた上記突起の壁面のうち上記被覆プレートの突起の係合壁面に対面する壁面（以下この壁面も「係合壁面」という）に係合する。そして、これら係合壁面は被覆プレート１６の他方の端部プレート部分１６Ｃが他方の端部部品１５から離れようとしたときに互いに圧縮されつつ係合することによって被覆プレート１６の他方の端部プレート部分１６Ｃが他方の端部部品１５から離れることを抑制する。
【００８８】
なお、被覆プレート１６の一方の端部プレート部分１６Ｂに設けられた係合壁面とそれに対応して一方の端部部品１４に設けられた係合壁面とが係合する領域の長さであって、被覆プレート１６の長手方向に沿った長さは、被覆プレート１６の一方の端部プレート部分１６Ｂの厚み寸法よりも長い。同様に、被覆プレート１６の他方の端部プレート部分１６Ｃに設けられた係合壁面とそれに対応して他方の端部部品１５に設けられた係合壁面とが係合する領域の長さであって、被覆プレート１６の長手方向に沿った長さは、被覆プレート１６の他方の端部プレート部分１６Ｃの厚み寸法よりも長い。
【００８９】
以上説明したように構成された突起の係合壁面同士の係合によって被覆プレートを端部部品に取り付ける形態をとることによって、被覆プレートに撓みが生じている場合であっても、被覆プレートの係合壁面と端部部品の係合壁面との係合が被覆プレートの撓みによって外れることが抑制される。
【００９０】
すなわち、被覆プレートに撓みが生じている場合において、被覆プレートが端部部品に取り付けられると、被覆プレートの撓みが解消された形で被覆プレートが端部部品に取り付けられることになる。したがって、このとき、被覆プレートにはそれを撓ませようとする応力が内在していることになる。したがって、被覆プレートの端部プレート部分が被覆プレートの長手方向中央領域を中心として端部部品から離れる方向に円弧を描くように移動しようとする力が被覆プレートの端部プレート部分に働く。ここで、被覆プレートの端部プレート部分の係合壁面と端部部品の係合壁面とが係合する領域の長さであって、被覆プレートに沿った長さが比較的短いと、これら係合壁面の係合が被覆プレートの端部プレート部分の円弧を描くように移動しようとする力に耐えられず、これら係合壁面の係合が外れてしまうが、この長さが被覆プレートの端部プレート部分の厚み寸法よりも長ければ、これら係合壁面の係合が外れてしまうことを確実に防止することができ、あるいは、少なくとも、これら係合壁面の係合が外れてしまうことを抑制することができる。
【００９１】
上述した実施形態では、この長さが被覆プレートの端部プレート部分の厚み寸法よりも長くなっているのであるから、被覆プレートの撓みによって被覆プレートの係合壁面と端部部品の係合壁面との係合が外れてしまうことが抑制される。
【００９２】
以上の理由から、上述した実施形態によれば、被覆プレートの端部プレート部分と端部部品との接続が被覆プレートの撓みによって外れることが抑制されるという効果が得られる。
【００９３】
また、第１外枠部品、第２外枠部品、端部部品、および、被覆プレートを１つの成形機内で成形し、これら成形された第１外枠部品、第２外枠部品、端部部品、および、被覆プレートを同じ成形機内で組付けることによってこれら第１外枠部品、第２外枠部品、端部部品、および、被覆プレートの組立体を製造する方法を採用した場合、被覆プレートに撓みが生じる可能性が高い。こうした場合に本発明を適用すれば、上述した効果としてより大きな効果を得ることができる。
【００９４】
なお、上述した実施形態は被覆プレートの係合壁面を突起によって提供すると共に端部部品の係合壁面を突起によって提供する実施形態である。しかしながら、本発明によれば、上述した効果を得られる限りにおいて、被覆プレートの係合壁面を上記突起によって提供すると共に端部部品に突起を設ける代わりに開口または溝または凹部を設け、この開口または溝または凹部を画成する壁面によって端部部品の係合壁面を提供するようにしてもよい。また、本発明によれば、上述した効果を得られる限りにおいて、被覆プレートに突起を設ける代わりに開口または溝または凹部を設け、この開口または溝または凹部を画成する壁面によって被覆プレートの係合壁面を提供すると共に端部部品の係合壁面を上記突起によって提供するようにしてもよい。
【００９５】
また、上述した実施形態は係合壁面を提供する突起を被覆プレートの端部プレート部分および端部部品に設けた実施形態である。しかしながら、本発明によれば、上述した効果を得られる限りにおいて、上記突起を被覆プレートの端部プレート部分以外の同被覆プレートの部分および端部部分以外に設けるようにしてもよい。
【符号の説明】
【００９６】
１０…第１外枠部品、１１…第２外枠部品、１０Ａ、１１Ａ…本体プレート部分、１０Ｂ、１０Ｃ、１１Ｂ、１１Ｃ…端部プレート部分、１０Ｄ、１０Ｆ、１１Ｄ、１１Ｆ…かぎ爪部分、１０Ｅ、１０Ｇ、１１Ｅ、１１Ｇ…突起、１２…ブレード、１３…ロッド、１４、１５…端部部品、１６…被覆プレート、１６Ａ…本体プレート部分、１６Ｂ、１６Ｃ…端部プレート部分
【図１】
0005665633.tif 000002
【図２】
0005665633.tif 000003
【図３】
0005665633.tif 000004
【図４】
0005665633.tif 000005